(57)【特許請求の範囲】
【請求項１】
上桟と、前記上桟の下方に設けられ当該上桟の水平方向の厚さよりも実質的に小さい厚さの側壁とを有する柵に機器を取り付けるための固定装置において、前記機器の機器ケースの後方に突出し先端側が下方に垂れ下がる垂下部分を有する鉤状部と、前記垂下部分に設けられ後端の操作部の操作によって前記機器ケースの後面に対して前記水平方向で離接する方向に螺進する雄ねじと、前記雄ねじの前端に設けられた押圧板と、を備え、
前記押圧板には、
前記機器ケースの後面との間で前記上桟を挟持する第１押圧部と、
前記機器ケースの後面との間で前記側壁を挟持する第２押圧部と、が形成されている、
ことを特徴とする機器の固定装置。
【請求項２】
前記押圧板は前記機器ケースとは別体に構成され、前記雄ねじの前端には当該雄ねじの軸に対して回転フリーな押圧片が設けられ、前記押圧板は、使用時に前記押圧片の前方に設置され、前記雄ねじが前記機器ケースの後面に対して接近する方向に螺進した際に、当該押圧片によって押圧されて前記機器ケースの後面との間で前記上桟及び前記側壁を挟持するように構成されていることを特徴とする請求項１に記載の機器の固定装置。
【請求項３】
前記第１押圧部の前面には、前記上桟の少なくとも一部が受容可能で且つ底部内面の少なくとも上半部が前記上桟の外周に対応した形状を有する凹部が幅方向全域に亘り形成されていることを特徴とする請求項１又は請求項２に記載の機器の固定装置。
【請求項４】
前記凹部の内面には弾性を有する押圧パッドが設けられていることを特徴とする請求項３に記載の機器の固定装置。
【請求項５】
上桟と、前記上桟の下方に当該上桟の水平方向の厚さよりも実質的に小さい厚さの側壁とを有する柵に機器を取り付けるための固定用アタッチメントであって、
前記機器の機器ケースの後方に突出し先端側が下方に垂れ下がる垂下部分を有する鉤状部と、前記垂下部分に設けられ後端の操作部の操作によって前記機器ケースの後面に対して前記水平方向で離接する方向に螺進する雄ねじと、前記雄ねじの前端に設けられ当該雄ねじの軸に対して回転フリーな押圧片とを有する固定装置と共に使用され、
使用時に前記押圧片の前側に設置され第１押圧部及び第２押圧部が形成された押圧板から構成され、前記雄ねじが前記機器ケースの後面に対して接近する方向に螺進した際に、当該押圧片によって押圧されて前記第１押圧部が前記上桟を、前記第２押圧部が前記側壁を挟持するように構成されていることを特徴とする固定用アタッチメント。
【請求項６】
前記第１押圧部の前面には、前記上桟の少なくとも一部が受容可能で且つ底部内面の少なくとも上半部が前記上桟の外周に対応した形状を有する凹部が幅方向全域に亘り形成されていることを特徴とする請求項５に記載の固定用アタッチメント。
【発明の詳細な説明】
【技術分野】
【０００１】
本発明は、機器の固定装置及び固定用アタッチメントに関する。
【背景技術】
【０００２】
従来、例えば、柵であるベビーベッドにメリーゴーランドのような幼児用機器を取り付けて使用することが行われている。この場合、ベビーベッドの上桟（横材）に機器を取り付けるための固定装置が必要とされる。特許文献１には、ベビーベッドに幼児用機器の固定装置が開示されている。
この特許文献１の固定装置は、下端を開口した倒コ字状部材を有し、この倒コ字状部材の一方の脚片に水平に貫通する雌ねじに螺入した雄ねじの内端に押圧片が設けられ、雄ねじの外端に操作部が設けられた構造となっている。
【先行技術文献】
【特許文献】
【０００３】
【特許文献１】実公昭４９−４６２４０号公報
【発明の概要】
【発明が解決しようとする課題】
【０００４】
上記特許文献１に開示された固定装置は、倒コ字状部材の角隅部の内側の２つの面に上桟の角隅部の２つの面を内側から当接させるとともに、互いに平行で反対方向を向く、上桟の２つの面を一方の脚片と押圧片との間で挟持する構造となっている。
この構造によれば、互いに平行で反対方向を向く面を有する角棒状又は板状の無垢の上桟を有する柵の場合には、機器に強い外力が作用しない限り、比較的安定した状態で機器を取り付けることができる。
ところで、近年、上桟の下に布製の側壁を有するとともに丸棒状の上桟を有するベビーベッド等の柵も市場に出回っている。
このような柵に上記固定装置をそのまま適用する場合、次のような問題を生じる。
側壁が変形しない板材又は複数の縦材で形成されている場合には問題はないが、上桟が側壁を構成する布で覆われているような場合に、布に外力が作用すると、布がずれたり変形したりする。例えば、布に外力が作用する場合として、人が側壁に寄りかかったり、ぶつかったりした場合には、布がずれたり変形したりする。そして、布がずれたり変形したりすると、その布の動きに伴って機器が動いて、機器が上桟から外れたり、機器が傾いたり、上桟の長手方向に移動したりして固定が不安定になるという問題を生じる。
特に、上桟が丸棒状となっている柵に適用する場合、一方の脚片及び押圧片と上桟の外周とが線接触状態となるため、布に何らかの外力が作用したときに、機器が上桟から外れたり、固定が不安定になったりし易い。
本発明は、このような問題点に鑑みなされたもので、上桟の下方に側壁を有する柵に適用して有効で、機器を柵に安定的に取り付けることが可能な固定装置及び固定用アタッチメントを提供することを目的とする。
【課題を解決するための手段】
【０００５】
請求項１に記載の固定装置は、
上桟と、前記上桟の下方に設けられ当該上桟の水平方向の厚さよりも実質的に小さい厚さの側壁とを有する柵に機器を取り付けるための固定装置において、前記機器の機器ケースの後方に突出し先端側が下方に垂れ下がる垂下部分を有する鉤状部と、前記垂下部分に設けられ後端の操作部の操作によって前記機器ケースの後面に対して前記水平方向で離接する方向に螺進する雄ねじと、前記雄ねじの前端に設けられた押圧板と、を備え、
前記押圧板には、
前記機器ケースの後面との間で前記上桟を挟持する第１押圧部と、
前記機器ケースの後面との間で前記側壁を挟持する第２押圧部と、が形成されている、
ことを特徴とする。
【０００６】
請求項２に記載の固定装置は、請求項１に記載の機器の固定装置であって、
前記押圧板は前記機器ケースとは別体に構成され、前記雄ねじの前端には当該雄ねじの軸に対して回転フリーな押圧片が設けられ、前記押圧板は、使用時に前記押圧片の前方に設置され、前記雄ねじが前記機器ケースの後面に対して接近する方向に螺進した際に、当該押圧片によって押圧されて前記機器ケースの後面との間で前記上桟及び前記側壁を挟持するように構成されていることを特徴とする。
【０００７】
請求項３に記載の固定装置は、請求項１又は請求項２に記載の機器の固定装置であって、前記第１押圧部の前面には、前記上桟の少なくとも一部が受容可能で且つ底部内面の少なくとも上半部が前記上桟の外周に対応した形状を有する凹部が幅方向全域に亘り形成されていることを特徴とする。
【０００８】
請求項４に記載の固定装置は、請求項３に記載の機器の固定装置であって、前記凹部の内面には弾性を有する押圧パッドが設けられていることを特徴とする。
【０００９】
請求項５に記載の固定装置は、
上桟と、前記上桟の下方に当該上桟の水平方向の厚さよりも実質的に小さい厚さの側壁とを有する柵に機器を取り付けるための固定用アタッチメントであって、
前記機器の機器ケースの後方に突出し先端側が下方に垂れ下がる垂下部分を有する鉤状部と、前記垂下部分に設けられ後端の操作部の操作によって前記機器ケースの後面に対して前記水平方向で離接する方向に螺進する雄ねじと、前記雄ねじの前端に設けられ当該雄ねじの軸に対して回転フリーな押圧片とを有する固定装置と共に使用され、
使用時に前記押圧片の前側に設置され第１押圧部及び第２押圧部が形成された押圧板から構成され、前記雄ねじが前記機器ケースの後面に対して接近する方向に螺進した際に、前記機器ケースの後面との間で、当該押圧片によって押圧されて前記第１押圧部が前記上桟を、前記第２押圧部が前記側壁を挟持するように構成されていることを特徴とする。
【００１０】
請求項６に記載の固定装置は、請求項５に記載の固定用アタッチメントであって、
前記第１押圧部の前面には、前記上桟の少なくとも一部が受容可能で且つ底部内面の少なくとも上半部が前記上桟の外周に対応した形状を有する凹部が幅方向全域に亘り形成されていることを特徴とする。
【発明の効果】
【００１１】
請求項１及び請求項５の発明によれば、上桟の水平方向の厚さよりも実質的に小さい厚さの側壁を機器ケースの後面と第２押圧部とで挟んでいるので、上桟からは外れ難く、また、丸棒状の上桟の場合にも上桟に対して機器ケースが回転しにくくなる。特に、布製の側壁を有する柵に適用して有効である。また、このような効果を持つ固定装置を比較的簡素な構造で実現できる。
【００１２】
請求項２の発明によれば、押圧板を取り外すことにより、他の柵にも固定装置を使用することができる。
【００１３】
請求項３及び請求項６の発明によれば、前記上桟の少なくとも一部が受容可能で且つ底部内面の少なくとも上半部が前記上桟の外周に対応した形状を有する凹部が幅方向全域に亘り形成されているので、機器ケースの後面と第１押圧部との間で上桟を確実に挟持することができる。
【００１４】
請求項４の発明によれば、押圧パッドを有するので、より確実に機器ケースの後面と第１押圧部との間で上桟を挟持することができる。
【図面の簡単な説明】
【００１５】
【図１】実施形態の固定装置を有する幼児用機器の外観を示した斜視図である。
【図２】角棒状の上桟に幼児用機器を取り付ける場合の固定装置の使用状態を示した斜視図である。
【図３】丸棒状の上桟に幼児用機器を取り付ける場合の固定装置の使用状態を示した図であり、（Ａ）は正面側を示した斜視図、（Ｂ）は後面側を示した斜視図である。
【図４】固定用アタッチメントを示した図であり、（Ａ）は正面側を示した斜視図、（Ｂ）は後面側を示した斜視図である。
【図５】角棒状の上桟に幼児用機器を取り付ける場合の固定装置の使用方法を説明するための図であり、（Ａ）は上桟の締め付け前の状態を示した側面図、（Ｂ）は上桟の締め付け後の状態を示した側面図である。
【図６】丸棒状の上桟に幼児用機器を取り付ける場合の固定装置の使用方法を説明するための図であり、（Ａ）は上桟の締め付け前の状態を示した側面図、（Ｂ）は上桟の締め付け後の状態を示した側面図である。
【発明を実施するための形態】
【００１６】
（全体構成）
図１はメリーゴーランド玩具として構成された幼児用機器１を示している。実施形態では、この幼児用機器１の機器ケース１０は特に限定はされないが円盤状に構成されている。この機器ケース１０は、図２及び図３（Ａ），（Ｂ）に示すように、例えばベビーベッド５０の上桟５１に取り付けられる。その際、機器ケース１０の前側がベビーベッド５０の内方を向くように上桟５１に取り付けられる。
ここで、図２に示すベビーベッド５０では、横材である上桟５１が角棒状に構成され、しかも、上桟５１の下側には当該上桟５１の長手方向に所定間隔で複数の縦材（側壁）５２が設けられている。この実施形態では、上桟５１の水平方向の厚さは縦材５２の厚さと同じとなっている。一方、図３に示すベビーベッド５０では、上桟５１が丸棒状に構成され、しかも、上桟５１の下方には網状且つシート状の側壁５３が設けられている。後者の側壁５３は上桟５１の直径よりも実質的に小さい厚さとなっている。
図２で示すベビーベッド５０に幼児用機器１を取り付ける場合には固定用アタッチメント４０は不要であるが、図３に示すベビーベッド５０に幼児用機器１を取り付ける場合には固定用アタッチメント４０が使用される。
なお、この実施形態では、特に限定はされないが、側壁５３の上端の布部分は袋状に形成され、この袋状部分に上桟５１が挿通された状態とされている。しかし、側壁５３は板状の壁であってもよい。
【００１７】
（細部構成）
１．幼児用機器１について
幼児用機器１は機器ケース１０を有している。
機器ケース１０は前面視で円形に形成されている。この機器ケース１０は、図５及び図６に示すように、大径の前半部１０ａと、当該前半部１０ａよりも小径の後半部１０ｂとを備えている。そして、前半部１０ａの前面には各種ボタン１２ａ〜１２ｄと、音量調整摘み１３と、スピーカ１４と、ライト１５とが設けられている。また、後半部１０ｂの後面は平らに形成されている。
この機器ケース１０には後方に突出するＬ字状の鉤状部３１が設けられている。この鉤状部３１の基端部上面には円穴（図示せず）が形成されていて、この円穴には支柱２０の下端部が差込み可能となっている。支柱２０の上端部には４方に張り出すアーム２１が設けられている。そして、各アーム２１の先端には紐によって傘２３が吊り下げられ、この傘２３の中心には紐によって動物等の縫いぐるみ２４が吊り下げられ、傘の外周部下には様々な形のお飾り２５が吊り下げられている。また、各アーム２１の長さ方向の途中部分には星形のお飾り２６が取り付けられている。
また、機器ケース１０内には、電池、ＩＣその他の電子部品、モータ及び回転機構が組み込まれている。これらは、特に図示はされていない。なお、電池は後半部１０ｂの後側から着脱できるように構成されている。
【００１８】
この幼児用機器１の動作の一例を説明すれば次の通りである。
ボタン１２ａを押すと電源が投入される。この電源が投入された状態でボタン１２ｂを押すとライト１５が点灯する。更に１回ボタン１２ｂを押すと、ライト１５の明るさが増す。更に１回ボタン１２ｂを押すとライト１５が消灯する。すなわち、ライト１５の明るさを２段階で変化させることができ、ボタン１２ｂを押す毎に、点灯（照度小）、点灯（照度大）、消灯を繰り返す。
ボタン１２ｃを押すと例えば５つのメロディのうちの１曲をスピーカ１４から繰り返して音声出力する。ボタン１２ｃを押す毎に曲が変化する。
ボタン１２ｄを押すと例えば３曲の子守歌を順番にスピーカ１４から繰り返して音声出力する。
音量調整摘み１３を回すとスピーカ１４から出力される音声の音量が変化する。
なお、縫いぐるみ２４を手で触って動作させた場合に、縫いぐるみ２４に組み込まれた小ビーズ（図示せず）の転がり又は小ビーズ同士の摺接によって音が発せられるようになっていてもよい。
【００１９】
２．固定装置３０について
図５及び図６に示すように、固定装置３０は、機器ケース１０の後半部１０ｂから更に後方に突出する鉤状部３１を備えている。この鉤状部３１は水平延出部分３１ａとその先端の垂下部分３１ｂとから形成されている。垂下部分３１ｂは互いに所定の間隔を隔てて機器ケース１０の後面に対向している。この垂下部分３１ｂには前後方向に貫通する雌ねじ（図示せず）が形成されている。そして、この雌ねじには雄ねじ３２が螺合している。雄ねじ３２の基端（後端）には操作部３３が付設され、一方、雄ねじ３２の先端（前端）には押圧片３４が付設されている。押圧片３４は雄ねじ３２の軸に直交する面に対して前端が面一となるカップ状に形成され、雄ねじ３２に対して回転フリーとなっている。
【００２０】
３．固定用アタッチメント４０
また、固定装置３０は、押圧板を構成する固定用アタッチメント４０を備えている。この固定用アタッチメント４０は前面視で横長の楕円状に形成されている（図４（Ａ））。この固定用アタッチメント４０の上半部４０ａは厚肉部、下半部４０ｂは薄肉部となっている。下半部４０ｂは上半部４０ａの前部下に形成されている。
上半部４０ａの前面側には第１押圧部４１が形成されている。具体的には、上半部４０ａにはその幅方向全域に亘って断面Ｕ字状の凹部が形成されている。この凹部は上桟５１の少なくとも一部が受容可能で且つ底部内面が丸棒状の上桟５１の外周に対応した形状を有している。この場合、例えば側壁５３が布製等の場合には側壁５３の外側面の上端部が図６に示すように傾斜するので、凹部の底部内面の上半部は丸棒状の上桟５１の外周に対応するように弧状面に形成され、凹部の下半部から凹部の下側開口縁に亘っては、側壁５３の外面に合致するように、曲面又は平面とすることが好ましい（図６）。このようにすれば、側壁５３を傷めずに広い範囲で挟持することが可能となる。このときには、凹部の下半部から凹部の下側開口縁に亘る部分は側壁５３を挟持するので、第２押圧部４６として機能する。
図４に示すように、この凹部の内面にはゴムやウレタン等の弾性材からなる押圧パッド４２が取り付けられている。この押圧パッド４２は凹部の底部内面から突出して設けられている。なお、押圧パッド４２は弾性を有し摩擦抵抗の大きい材から形成されていることが好ましい。なお、押圧パッド４２を設けずに、固定用アタッチメント４０自体を弾性材で形成することも可能である。
また、この上半部４０ａの上面は上記鉤状部３１の水平延出部分３１ａが上から嵌まり合うように前面視で中央部分が角溝状に前後方向全域に亘って切欠かれている。この切欠き部を符号４３で指示している。この切欠き部４３は鉤状部３１の水平延出部分３１ａに嵌まり合うことで、固定用アタッチメント４０を位置決めする働きをする。
さらに、上半部４０ａの両側にはアールが形成されている。また、図４（Ｂ）に示すように、上半部４０ａの後面には円形の突出部４４が形成されている。この突出部４４の内側は浅い円穴となっていて、そこには、押圧片３４によって押圧される被押圧部４５が形成されている。
【００２１】
また、下半部４０ｂの前面は第２押圧部４６を形成している。この第２押圧部４６は、例えば側壁５３が布製等の場合には、上述のように、凹部の下半部までに亘って形成されていてもよい。また、固定用アタッチメント４０は例えば金属又は合成樹脂で形成されるが、固定用アタッチメント４０の下半部４０ｂの少なくとも前面が弾性材で形成されていてもよい。この下半部４０ｂの前面には格子枠状の凸条４７が形成されている。この凸条４７の頂部は長手方向に直交する断面で見た場合、機器ケース１０の後面に向けて弧状に膨らんでいることが好ましい。
また、下半部４０ｂの後面には上半部４０ａと下半部４０ｂの境界の段部に亘って三角形の補強リブ４８が幅方向に所定間隔で複数形成されている。
【００２２】
４．上桟５１への幼児用機器１の取付け方法
図５（Ａ）に示すように、機器ケース１０を角棒状の上桟５１に固定するときには、固定用アタッチメント４０は不要である。
この場合には、図５（Ｂ）に示すように、上桟５１を機器ケース１０の後面と押圧片３４とで挟持させることにより、機器ケース１０を上桟５１に固定する。
一方、図６（Ａ）に示すように、機器ケース１０を丸棒状の上桟５１を有し且つ側壁５３が上桟５１の下側にあるベビーベッド５０の上桟５１に固定するときには、固定用アタッチメント４０を使用する。
この場合には、上桟５１及び側壁５３を挟んで機器ケース１０の後面と鉤状部３１の垂下部分３１ｂとが対向するようにしてから、固定用アタッチメント４０を上桟５１及び側壁５３と垂下部分３１ｂとの間に介在させる。その際、固定用アタッチメント４０の上半部４０ａの上面の切欠き部４３と鉤状部３１の水平延出部分３１ａとを嵌め合わせるようにする。この嵌め合わせによって、固定用アタッチメント４０の位置決めがなされる。
或いは、固定用アタッチメント４０の上半部４０ａの上面の切欠き部４３と鉤状部３１の水平延出部分３１ａとを嵌め合わせておいた後、機器ケース１０の後面と上桟５１及び側壁５３を挟んで固定用アタッチメント４０の前面とが対向するようにする。
その後、操作部３３を回転させ、雄ねじ３２の先端の押圧片３４を被押圧部４５に当て、操作部３３を更に回転させて固定用アタッチメント４０と機器ケース１０の後面との間で上桟５１及び側壁５３を挟持させることにより、機器ケース１０を上桟５１に固定する。
【００２３】
５．実施形態の効果
このように構成された固定装置３０によれば、次のような効果を得ることができる。
すなわち、固定用アタッチメント４０を取り付けない場合には、断面方形又は断面矩形状の上桟５１に機器ケース１０を取り付けることができる。また一方、固定用アタッチメント４０を使用すれば、丸棒状の上桟５１に機器ケース１０を強固に取り付けることができる。
後者の場合、第２押圧部４６と機器ケース１０の後面との間で側壁５３が挟持されるので、機器ケース１０の上方への抜けや、機器ケース１０の上桟５１を中心とする回転が阻止される。さらに、第１押圧部４１が丸棒状の上桟５１の外周に面接触するので、上桟５１の長手方向への移動や上下方向の移動も少なくなり、安定的に機器ケース１０を固定することができる。特に、押圧パッド４２が設けられているので、上桟５１がより確実に締め付けられることになる。
【００２４】
（発明の変形例）
以上、本発明の実施形態について説明したが、本発明は、かかる実施形態に限定されず、その発明の要旨を変更しない範囲で、種々変形可能であることは言うまでもない。
【００２５】
例えば、上記実施形態では、第１押圧部４１に上桟５１の外周に対応する底部内面を有する凹部が形成されたものを説明したが、第１押圧部４１の押圧面は平らであってもよい。この場合でも、上桟５１の直径よりも実質的に小さい厚さの側壁５３を機器ケース１０の後面と第２押圧部４６とで挟んでいるので、上桟５１からは外れ難く、また、上桟５１に対して機器ケースが回転し難くなる。
【００２６】
また、上記実施形態では、押圧パッド４２を有するものについて説明したが、押圧パッド４２はなくてもよい。この場合でも、上桟５１の直径よりも実質的に小さい厚さの側壁５３を機器ケース１０の後面と第２押圧部４６とで挟んでいるので、上桟５１からは外れ難く、また、上桟５１に対して機器ケース１０が回転し難くなる。
【００２７】
さらに、上記実施形態では、側壁５３が網状のシートで形成されている場合を示したが、側壁５３は、織物、編み物（メリヤス生地）、レース、フェルト、不織布、又は木材からなる側壁であってもよい。また、側壁５３は１枚の布又は板材によって構成される場合だけでなく、複数の縦材を所定間隔に並設したもので構成されていてもよい。要は、上桟の下方に設けられる側壁の厚さが当該上桟の水平方向の厚さよりも実質的に小さいことである。板材や複数の縦材によって側壁が構成されている場合には、側壁が挟持されることによって、機器に外力が作用した場合でも、上方への抜けが防止できるとともに、機器の傾きや、上桟の長手方向への移動を防止することができる。
【００２８】
なお、明細書において「上桟５１の直径よりも実質的に小さい厚さの側壁５３」とは、第１押圧部４１と機器ケース１０の後面との間で挟持した状態で側壁５３の厚さが上桟５１の直径よりも小さいことを意味としている。
【００２９】
また、上記実施形態では、螺進式の締結装置を設けているが、クリップ式の締結装置を用いることも可能である。
【００３０】
また、上記実施形態では、押圧板は固定用アタッチメント４０としたが、押圧板は予め雄ねじ３２に回転フリーな状態で取り付けられていてもよい。
【００３１】
さらに、上記実施形態では、機器ケース１０の後面が平らとなっているが、ベビーベッド５０等の柵の上桟の内端と側壁内側面とが面一でない場合には、しっかりと機器ケース１０の後面と固定用アタッチメント４０の前面とで側壁２１を挟持できるように機器ケース１０の後面に段差を設けてもよい。また、必要に応じて、機器ケース１０の後面のうち側壁２１に対向する部分に補助板を介在させてもよい。この場合、補助板は弾性変形可能なものであることが好ましい。
【符号の説明】
【００３２】
１     幼児用機器
１０   機器ケース
３１   鉤状部
３０   固定装置
３１   鉤状部
３１ａ 水平延出部分
３１ｂ 垂下部分
３３   操作部
４０   固定用アタッチメント
４１   第１押圧部
４２   押圧パッド
４５   被押圧部
４６   第２押圧部
５０   ベビーベッド
５１   上桟
５３   側壁
【要約】
【課題】上桟の下方に側壁を有する柵に適用して有効で、機器を柵に安定的に取り付けることが可能な固定装置及び固定用アタッチメントを提供すること。
【解決手段】  上桟５１と、上桟５１の下方に設けられ上桟５１の水平方向の厚さよりも実質的に小さい厚さの側壁５３とを有する柵に機器を取り付けるための固定装置３０において、機器ケース１０の後方に突出し先端側が下方に垂れ下がる垂下部分３１ｂを有する鉤状部３１と、垂下部分３１ｂに設けられ後端の操作部３３の操作によって機器ケース１０の後面に対して前記水平方向で離接する方向に螺進する雄ねじ３２と、雄ねじ３２の前端に設けられた押圧板４０と、を備え、押圧板４０には、機器ケース１０の後面との間で上桟５１を挟持する第１押圧部４１と、機器ケース１０の後面との間で側壁５３を挟持する第２押圧部４６と、が形成されている。
【選択図】図６【図１】
0005933796.tif 000002
【図２】
0005933796.tif 000003
【図３】
0005933796.tif 000004
【図４】
0005933796.tif 000005
【図５】
0005933796.tif 000006
【図６】
0005933796.tif 000007